(57)【要約】【課題】従来のホログラム記録再生装置よりもホログラム記録媒体に記録されたデータを再生するための光学系を小型化すること。【解決手段】ホログラム記録再生装置１は、参照光を変調する参照光画素領域と、信号光を変調する信号光画素領域との画素ピッチがそれぞれ異なる空間光変調器２４と、ホログラム記録媒体１００に参照光を照射することにより再生される再生光を光学的にフーリエ変換するフーリエ変換レンズ４２と、フーリエ変換レンズ４２による再生光のフーリエ変換面に配置されるフィルタ６０であって、再生光に含まれる参照光と信号光とのそれぞれの空間周波数成分の結像位置の間隔が異なることを利用して、参照光の所定の空間周波数帯域を遮光するとともに、信号光の所定の空間周波数帯域を透過させるフィルタ６０と、を含み、フィルタ６０を透過した再生光を受光して、再生光に含まれる信号光に変調されたデータを再生する。【選択図】図１
2009058654.tif 000002
【特許請求の範囲】
【請求項１】
参照光を変調する参照光画素領域と、記録するデータに基づいて信号光を変調する信号光画素領域との画素ピッチがそれぞれ異なる空間光変調器により変調された参照光と信号光とを同一の光束によりホログラム記録媒体に照射することによりデータが記録されたホログラム記録媒体を保持する手段と、
前記保持されたホログラム記録媒体に参照光を照射することにより再生される再生光をフーリエ変換するフーリエ変換レンズと、
前記フーリエ変換レンズによる前記再生光のフーリエ変換面に配置されるフィルタであって、前記再生光に含まれる参照光と信号光とのそれぞれの空間周波数成分の結像位置の間隔が異なることを利用して、前記参照光の所定の空間周波数帯域を遮光するとともに、前記信号光の所定の空間周波数帯域を透過させるフィルタと、
前記フィルタを透過した再生光を受光して、前記再生光に含まれる信号光に変調されたデータを再生する手段と、
を含むことを特徴とするホログラム再生装置。
【請求項２】
前記フィルタは、少なくとも前記参照光のＮ（Ｎは自然数）次の直流成分を含む空間周波数帯域を遮光し、前記信号光の前記Ｎ次の直流成分を含む空間周波数帯域を透過させる、
ことを特徴とする請求項１に記載のホログラム再生装置。
【請求項３】
前記フィルタは、前記参照光の直流成分の前記Ｎ次以上の空間周波数帯域を遮光し、前記信号光の直流成分の前記Ｎ次以下の空間周波数帯域を透過させる、
ことを特徴とする請求項２に記載のホログラム再生装置。
【請求項４】
参照光を変調する参照光画素領域と、記録するデータに基づいて信号光を変調する信号光画素領域との画素ピッチがそれぞれ異なる空間光変調器により変調された参照光と信号光とを同一の光束によりホログラム記録媒体に照射することによりデータが記録されたホログラム記録媒体を保持するステップと、
前記保持されたホログラム記録媒体に参照光を照射することにより再生される再生光をフーリエ変換レンズによりフーリエ変換するステップと、
前記フーリエ変換レンズによる前記再生光のフーリエ変換面に配置されるフィルタにより、前記再生光に含まれる参照光と信号光とのそれぞれの空間周波数成分の結像位置の間隔が異なることを利用して、前記参照光の所定の空間周波数帯域を遮光するとともに、前記信号光の所定の空間周波数帯域を透過させるステップと、
前記フィルタを透過した再生光を受光して、前記再生光に含まれる信号光に変調されたデータを再生するステップと、
を含むことを特徴とするホログラム再生方法。
【請求項５】
参照光を変調する参照光画素領域と、記録するデータに基づいて信号光を変調する信号光画素領域との画素ピッチがそれぞれ異なる空間光変調器と、
前記空間光変調器により変調された参照光と信号光とを同一の光束によりホログラム記録媒体に照射する手段と、を含み、
前記参照光と前記信号光との干渉により形成されるホログラムを前記ホログラム記録媒体に記録することを特徴とするホログラム記録装置。
【請求項６】
前記参照光画素領域の画素ピッチよりも前記信号光画素領域の画素ピッチが大きい、
ことを特徴とする請求項５に記載のホログラム記録装置。
【請求項７】
参照光を変調する参照光画素領域と、記録するデータに基づいて信号光を変調する信号光画素領域との画素ピッチがそれぞれ異なる空間光変調器により参照光と信号光とを変調するステップと、
前記空間光変調器により変調された参照光と信号光とを同一の光束によりホログラム記録媒体に照射するステップと、を含み、
前記参照光と前記信号光との干渉により形成されるホログラムを前記ホログラム記録媒体に記録することを特徴とするホログラム記録方法。
【発明の詳細な説明】
【技術分野】
【０００１】
本発明は、ホログラム再生装置、ホログラム再生方法、ホログラム記録装置、及びホログラム記録方法に関する。
【背景技術】
【０００２】
ホログラム記録技術には、参照光と信号光とを一つの光束にしてホログラム記録媒体に照射して、参照光と信号光との干渉により形成されるホログラムをホログラム記録媒体に記録する、いわゆる同軸方式の記録技術を採用しているものがある。同軸方式の記録技術を採用することの利点の一つとして、ホログラム記録再生装置を小型化できることがある。
【０００３】
図６には、従来のホログラム記録再生装置２を構成する光学系の一部を示す。図６に示されるように、従来のホログラム記録再生装置２では、空間光変調器２５により空間変調された信号光と参照光とを同一の光束でホログラム記録媒体１００に照射することでデータを記録する。一方、データを再生する場合には、参照光のみをホログラム記録媒体１００に照射して再生される再生光について、まずアイリス４５により再生光の参照光部分をカットしてから、フーリエ変換レンズ４６の焦点面に配置されたフィルタ４７により信号光の所望の空間周波数帯域を抽出していた。そして、受光素子５０は、所望の空間周波数帯域が抽出された信号光に基づいてデータを再生していた。
【発明の開示】
【発明が解決しようとする課題】
【０００４】
本発明の目的は、従来のホログラム記録再生装置よりもホログラム記録媒体に記録されたデータを再生するための光学系を小型化することにある。
【課題を解決するための手段】
【０００５】
上記目的を達成するために、請求項１に係るホログラム再生装置の発明は、参照光を変調する参照光画素領域と、記録するデータに基づいて信号光を変調する信号光画素領域との画素ピッチがそれぞれ異なる空間光変調器により変調された参照光と信号光とを同一の光束によりホログラム記録媒体に照射することによりデータが記録されたホログラム記録媒体を保持する手段と、前記保持されたホログラム記録媒体に参照光を照射することにより再生される再生光をフーリエ変換するフーリエ変換レンズと、前記フーリエ変換レンズによる前記再生光のフーリエ変換面に配置されるフィルタであって、前記再生光に含まれる参照光と信号光とのそれぞれの空間周波数成分の結像位置の間隔が異なることを利用して、前記参照光の所定の空間周波数帯域を遮光するとともに、前記信号光の所定の空間周波数帯域を透過させるフィルタと、前記フィルタを透過した再生光を受光して、前記再生光に含まれる信号光に変調されたデータを再生する手段と、を含むことを特徴とする。
【０００６】
請求項２の発明は、請求項１に記載のホログラム再生装置において、前記フィルタは、少なくとも前記参照光のＮ（Ｎは自然数）次の直流成分を含む空間周波数帯域を遮光し、前記信号光の前記Ｎ次の直流成分を含む空間周波数帯域を透過させる、ことを特徴とする。
【０００７】
請求項３の発明は、請求項２に記載のホログラム再生装置において、前記フィルタは、前記参照光の直流成分の前記Ｎ次以上の空間周波数帯域を遮光し、前記信号光の直流成分の前記Ｎ次以下の空間周波数帯域を透過させる、ことを特徴とする。
【０００８】
請求項４に係るホログラム再生方法の発明は、参照光を変調する参照光画素領域と、記録するデータに基づいて信号光を変調する信号光画素領域との画素ピッチがそれぞれ異なる空間光変調器により変調された参照光と信号光とを同一の光束によりホログラム記録媒体に照射することによりデータが記録されたホログラム記録媒体を保持するステップと、前記保持されたホログラム記録媒体に参照光を照射することにより再生される再生光をフーリエ変換レンズによりフーリエ変換するステップと、前記フーリエ変換レンズによる前記再生光のフーリエ変換面に配置されるフィルタにより、前記再生光に含まれる参照光と信号光とのそれぞれの空間周波数成分の結像位置の間隔が異なることを利用して、前記参照光の所定の空間周波数帯域を遮光するとともに、前記信号光の所定の空間周波数帯域を透過させるステップと、前記フィルタを透過した再生光を受光して、前記再生光に含まれる信号光に変調されたデータを再生するステップと、を含むことを特徴とする。
【０００９】
請求項５に係るホログラム記録装置の発明は、参照光を変調する参照光画素領域と、記録するデータに基づいて信号光を変調する信号光画素領域との画素ピッチがそれぞれ異なる空間光変調器と、前記空間光変調器により変調された参照光と信号光とを同一の光束によりホログラム記録媒体に照射する手段と、を含み、前記参照光と前記信号光との干渉により形成されるホログラムを前記ホログラム記録媒体に記録することを特徴とする。
【００１０】
請求項６の発明は、請求項５に記載のホログラム記録装置において、前記参照光画素領域の画素ピッチよりも前記信号光画素領域の画素ピッチが大きい、ことを特徴とする。
【００１１】
請求項７に係るホログラム記録方法の発明は、参照光を変調する参照光画素領域と、記録するデータに基づいて信号光を変調する信号光画素領域との画素ピッチがそれぞれ異なる空間光変調器により参照光と信号光とを変調するステップと、前記空間光変調器により変調された参照光と信号光とを同一の光束によりホログラム記録媒体に照射するステップと、を含み、前記参照光と前記信号光との干渉により形成されるホログラムを前記ホログラム記録媒体に記録することを特徴とする。
【発明の効果】
【００１２】
請求項１及び４に記載の発明によれば、再生光から参照光をカットする工程と、再生光に含まれる信号光の所定の空間周波数帯域を抽出する工程とを一度に行うことにより、ホログラム記録媒体に記録されたデータを再生するための光学系を小型化することができる。
【００１３】
請求項２に記載の発明によれば、Ｎ次の直流成分を含む空間周波数帯域を参照光についてはカットし、信号光については透過させて、信号光の所望の空間周波数成分を抽出することができる。
【００１４】
請求項３に記載の発明によれば、参照光についてはＮ次以上の直流成分の空間周波数帯域をカットし、信号光についてはＮ次以下の直流成分の空間周波数帯域を透過させて、信号光の所望の空間周波数帯域を抽出することができる。
【００１５】
請求項５及び７に記載の発明によれば、参照光と信号光とをそれぞれ変調する画素のピッチを異ならせてホログラム記録媒体にデータが記録できるため、データの再生時には再生光に含まれる参照光と信号光とのフーリエ変換面におけるそれぞれの空間周波数成分の結像位置間の長さを異ならせることができる。
【００１６】
請求項６に記載の発明によれば、信号光の直流成分の位置が参照光よりも内側となるため、信号光のＮ次の直流成分の外側を遮光するようフィルタを配置することで、信号光の所望の空間周波数帯域を抽出することができる。
【発明を実施するための最良の形態】
【００１７】
以下、本発明を実施するための好適な実施の形態（以下、実施形態という）を、図面に従って説明する。
【００１８】
図１には、本実施形態に係るホログラム記録再生装置１のシステム構成図を示す。図１に示されるように、ホログラム記録再生装置１は、光源１０、シャッター１２、１／２波長板１４、偏光板１６、拡大・コリメート光学系１８、ミラー２０、偏光ビームスプリッタ２２、空間光変調器２４、リレーレンズ系を構成するレンズ２６，２８とフーリエ変換レンズ３０，３２、フィルタ３４、ホログラム記録媒体１００に参照光又は／参照光及び信号光を集光するフーリエ変換レンズ３６、ホログラム記録媒体を透過した透過光（再生光）をリレーするフーリエ変換レンズ３８、ホログラム記録媒体１００を保持する媒体保持部４０、リレーレンズ系を構成するフーリエ変換レンズ４２，４４、フィルタ６０、及び受光素子５０を備える。
【００１９】
光源１０は、ホログラムを記録する信号光及び参照光の光源となるコヒーレント光を照射する。コヒーレント光としてはレーザ光など従来から知られている光源を用いることとしてよい。そして、レーザ光には、ホログラム記録媒体１００の光記録層に感度のある所定の波長のレーザ光（例えば、波長が５３２ｎｍの緑色レーザ等）を用いることとしてよい。
【００２０】
シャッター１２は、光源１０から照射されたレーザ光の光路上に設けられる。シャッター１２の開閉に応じて、レーザ光が遮断される。そして、シャッター１２を通過したレーザ光は、１／２波長板１４と、偏光板１６とを通過して、光強度や偏光方向が調整される。
【００２１】
偏光板１６を通過したレーザ光は、拡大・コリメート光学系１８により所定径の平行光に変換される。拡大・コリメート光学系１８で平行光に変換されたレーザ光は、ミラー２０により反射され、偏光ビームスプリッタ２２に入射する。
【００２２】
偏光ビームスプリッタ２２は、入射したレーザ光のｐ偏光を透過させ、ｓ偏光を反射する。そして、偏光ビームスプリッタ２２により反射されたレーザ光は、空間光変調器２４に入射する。
【００２３】
空間光変調器２４は、偏光ビームスプリッタ２２から入射したレーザ光を、記録情報に応じたパターンで偏光変調する。記録情報は、例えばデジタルデータ「０，１」を「明，暗」に対応させた明暗のパターン画像により表現されるものである。そして、光強度変調された光強度変調パターンを有するレーザ光は、再び偏光ビームスプリッタ２２に入射する。ここで、偏光ビームスプリッタ２２は、ｐ偏光を透過させるため、空間光変調器２４により変調された光は、偏光ビームスプリッタ２２を透過する。
【００２４】
図２には、空間光変調器２４の構成の一例を示す。図２に示されるように、本実施形態に係る空間光変調器２４は、参照光を変調する参照光画素領域２００と信号光を変調する信号光画素領域３００を含み構成され、信号光画素領域３００が中心部に配置され、信号光画素領域３００の外周に参照光画素領域２００が配置される。
【００２５】
参照光画素領域２００及び信号光画素領域３００は、それぞれ複数の画素により構成され、各画素は、参照光や信号光に変調する２次元画像データに応じて明／暗のいずれかに強度変調される。図２においては、参照光画素領域２００と信号光画素領域３００とにおいて塗りつぶしのある画素が「暗」画素である。なお、図２では参照光画素領域２００と信号光画素領域３００とにおいて、「暗」画素の塗りつぶしパターンがそれぞれ異なるのは説明の便宜上のためであり、実際に色やパターンが異なる訳ではない。
【００２６】
信号光画素領域３００に含まれる画素は、記録するデータを符号化した二次元画像を生成して、信号光を空間変調する。また、参照光画素領域２００においても、ランダムパターンを符号化した二次元画像を生成して、参照光を空間変調することとしてよい。なお、参照光は必ずしも変調する必要はないが、上記のように参照光にデータパターンと同程度の周期でランダム変調を与えることで、データ記録の際に参照光を均等に照射させて、ホログラム記録領域での信号光と参照光の重なりを大きくし、精度の良いデータ記録が実現できる。
【００２７】
本実施形態の空間光変調器２４では、参照光画素領域２００に含まれる画素ピッチをｄ１、信号光画素領域３００に含まれる画素ピッチをｄ２とすると、それぞれの画素ピッチが異なることを特徴としており、本実施形態ではｄ１＜ｄ２である。なお、画素ピッチとは、空間光変調器２４の各画素領域に含まれる隣り合う画素同士の距離のことである。このように、空間光変調器２４の参照光を変調する画素の画素ピッチと、信号光を変調する画素の画素ピッチとが異なることにより、参照光と信号光とでは０次成分と１次成分との間隔が異なる、すなわちフーリエ変換面における参照光と信号光との輝点の結像位置の間隔が異なることとなる。本発明では、この結像位置の間隔の差を利用して参照光のカットと信号光の所望の周波数帯域の抽出とを同時に行うものであるが、この工程についての詳細は後述する。
【００２８】
空間光変調器２４により空間変調された信号光と参照光を含む記録光は、リレーレンズ系を構成するレンズ２６，２８によりリレーされた後に、フーリエ変換レンズ３０に入射する。記録光は、フーリエ変換レンズ３０によりフィルタ３４を通過するように集光され、フィルタ３４を通過する際に所定の周波数帯域がカットされる。フィルタ３４により所定の周波数帯域をカットすることで、ホログラム記録媒体１００をより有効に使った記録を実現する。例えば、フィルタ３４は、参照光と信号光の空間周波数成分の１次の直流成分まで透過させるローパスフィルタとして構成してよく、その場合にはフィルタ３４の透過部の半径をｆλ／ｄ１（参照光の画素ピッチ）以上とする。
【００２９】
そして、フィルタ３４を通過した記録光は、フーリエ変換レンズ３２により再び平行光にされ、ホログラム記録媒体１００に記録光を集光するフーリエ変換レンズ３６に入射する。
【００３０】
フーリエ変換レンズ３６は、信号光と参照光とを共に媒体保持部４０に保持されるホログラム記録媒体１００に集光させる。そして、信号光と参照光とが集光される位置において、信号光と参照光との干渉により形成されるホログラム（干渉縞）がホログラム記録媒体１００の光記録層に形成される。以上がホログラム記録媒体１００にデータを記録する工程である。
【００３１】
次に、ホログラム記録媒体１００に上記記録したデータをホログラム記録再生装置１により再生する工程を説明する。
【００３２】
まず、ホログラム記録再生装置１では、ホログラム記録媒体１００に参照光のみを照射する。照射された参照光は、ホログラム記録媒体１００に形成されたホログラムにより回折することで再生光が得られる。得られた再生光は、ホログラムを形成した際に照射された参照光と信号光とを含む光である。
【００３３】
ホログラム記録媒体１００は透過型の記録媒体であるため、再生光はホログラム記録媒体１００を透過し、フーリエ変換レンズ３８によりリレーされてフーリエ変換レンズ４２に入射する。このフーリエ変換レンズ４２の焦点面には、フィルタ６０が配置される。
【００３４】
図３には、フィルタ６０を配置したフーリエ変換レンズ４２の焦点面（以下、フーリエ変換面とする）の一例を示す。図３に示されるように、フーリエ変換面の中心には信号光の０次の直流成分４００、そしてその周りに信号光の１次の直流成分４１０が位置し、さらにその外側に参照光の１次の直流成分５１０が位置する。ここで、本実施形態では、空間光変調器２４の参照光画素領域２００の画素ピッチをｄ１、信号光画素領域３００の画素ピッチをｄ２、レンズの焦点距離をｆ、コヒーレント光の波長をλとすると、参照光のスポット距離Ｌ１は、以下の式（１）により、そして、信号光のスポット距離Ｌ２は以下の式（２）により表される。なお、スポット距離とは、０次の直流成分と１次の直流成分との距離とする。
Ｌ１＝ｆλ／ｄ１      ・・・（１）
Ｌ２＝ｆλ／ｄ２      ・・・（２）
【００３５】
フィルタ６０をＬ２＜ｒ＜Ｌ１を満たす半径ｒの透過部を有するローパスフィルタとして構成し、フーリエ変換面に配置することで、図３に示されるように、再生光から参照光をカットするとともに、所望の周波数帯域（１次の直流成分以下）の信号光のみを透過させ、抽出することができる。なお、コヒーレント光の波長λ＝５３２ｎｍ，レンズの焦点距離ｆ＝１００ｍｍ，参照光画素ピッチｄ１＝２０μｍ，信号光画素ピッチｄ２＝２４μｍとすると、Ｌ１＝２．２１７ｍｍ，Ｌ２＝２．６６ｍｍとなる。ここで、フィルタをｒ＝２．５ｍｍのローパスフィルタとして構成することで、再生光から参照光を除去し信号光の１次の直流成分以下の空間周波数帯域を抽出することができる。
【００３６】
なお、フィルタ３４においては参照光を除去しないため、フィルタ３４の半径はＬ１よりも大きな値とする。すなわち、上記の数値例では、例えばフィルタ３４の半径を２．７ｍｍとして構成することで参照光及び信号光の１次の直流成分を共に透過させることができる。
【００３７】
フィルタ６０を透過した再生光（信号光）は、レンズ４４によりリレーされた後に、受光素子５０に結像する。受光素子５０では、信号光の光強度変調パターンに基づいて、信号光に変調された記録データを再生する。
【００３８】
以上説明した本実施形態に係るホログラム記録再生装置１では、再生光から参照光の除去と所望の信号光の周波数帯域の抽出とを一度にフィルタ６０で行うため、図６に示した従来のホログラム記録再生装置２と比べて、アイリス４５やリレーレンズ系を構成するレンズ４２，４４を省略することができ、光学系のさらなる小型化を実現するものである。
【００３９】
なお、本発明は上記の実施形態に限定されるものではない。
【００４０】
例えば、フーリエ変換レンズ４２の焦点面に配置されるフィルタは図３に示されたようなローパスフィルタに限られるものではなく、例えば、図４に示すフィルタ６１のように、信号光の０次の直流成分はカットして、１次の直流成分を含む周波数帯域を透過させるバンドパスフィルタとして構成することとしてもよい。なお、フィルタ６１の透過部の外周の一辺をＳ１、内周の一辺をＳ２の正方形とすると、Ｌ２＜Ｓ１／２＜Ｌ１、Ｒｓｐｏｔ＜Ｓ２／２＜Ｌ２を満たすものとする。なお、Ｒｓｐｏｔとは、スポットの半径とする。もちろん、フーリエ変換レンズ４２の焦点面に配置するフィルタは上記示した形状に限られず、透過させる信号光の所望の空間周波数帯域に応じた様々な形状としてよい。
【００４１】
また、上記の実施形態では参照光画素領域のピッチ（ｄ１）が信号光画素領域のピッチ（ｄ２）よりも小さいこととしたが、参照光画素領域のピッチ（ｄ１）を信号光画素領域のピッチ（ｄ２）よりも大きくすることとしてもよい。この場合には上記式（１）及び（２）から、フーリエ変換面においては、信号光のスポット距離Ｌ２の方が参照光のスポット距離Ｌ１よりも長くなる。図５（Ａ）にはこのときのフーリエ変換面を示す。図５（Ａ）からも明らかなように、信号光の１次成分４１０が参照光の１次成分５１０よりも外側に位置している。ここで、図５（Ｂ）に示されるような形状のフィルタ６２をフーリエ変換レンズ４２の焦点面に配置することにより、参照光をカットするとともに、信号光の１次成分４１０を含む空間周波数帯域のみを透過させることができる。なお、フィルタ６２の透過部の外周の一辺をＳ３、内周の一辺をＳ４の正方形とすると、Ｓ３，Ｓ４は、２・Ｌ１＜Ｓ３＜２・Ｌ２＜Ｓ４＜４・Ｌ１を満たす。例えば、コヒーレント光の波長λ＝５３２ｎｍ，レンズの焦点距離ｆ＝１００ｍｍ，参照光画素ピッチｄ１＝２４μｍ，信号光画素ピッチｄ２＝２０μｍとすると、Ｌ１＝２．６６ｍｍ，Ｌ２＝２．２１７ｍｍとなる。ここで、フィルタ６２をＳ３＝６．７ｍｍ，Ｓ４＝５ｍｍのバンドパスフィルタとして構成することで、再生光から参照光を除去し信号光の１次成分を含む空間周波数帯域を抽出することができる。
【００４２】
また、上記の実施形態ではホログラム記録再生装置１によりホログラムの記録と再生とをともに行うこととしたが、ホログラムの記録を行うホログラム記録装置と、ホログラムの再生を行うホログラム再生装置と分けてホログラムの記録及び再生を行うこととしてよいのはもちろんである。
【図面の簡単な説明】
【００４３】
【図１】本実施形態に係るホログラム記録再生装置のシステム構成図である。
【図２】空間光変調器の構成の一例である。
【図３】レンズの焦点面、及びフィルタの一例である。
【図４】レンズの焦点面、及びフィルタの一例である。
【図５】レンズの焦点面、及びフィルタの一例である。
【図６】従来のホログラム記録再生装置の構成の一部を示す図である。
【符号の説明】
【００４４】
１  ホログラム記録再生装置、２  ホログラム記録再生装置（従来）、１０  光源、１２  シャッター、１４  １／２波長版、１６  偏光板、１８  拡大・コリメート光学系、２０  ミラー、２２  偏光ビームスプリッタ、２４  空間光変調器、２５  空間光変調器（従来）、２６，２８  レンズ、３０，３２  フーリエ変換レンズ、３４  フィルタ、３６，３８  フーリエ変換レンズ、４０  媒体保持部、４２，４４  フーリエ変換レンズ、４５  アイリス、４７  フィルタ、５０  受光素子、６０  フィルタ、６１  フィルタ、６２  フィルタ、１００  ホログラム記録媒体、２００  参照光画素領域、３００  信号光画素領域、４００  ０次の直流成分、４１０  信号光の１次の直流成分、５１０  参照光の１次の直流成分。
【図１】
2009058654.tif 000003
【図２】
2009058654.tif 000004
【図３】
2009058654.tif 000005
【図４】
2009058654.tif 000006
【図５】
2009058654.tif 000007
【図６】
2009058654.tif 000008